(57)【特許請求の範囲】
【請求項１】
ハウジング、回路基板およびアンテナコンポーネントを備えた電子通信装置において、前記アンテナコンポーネントが、透明なプラスチック材料でできたプレート形フロントカバー、および導体材料でできた少なくとも１つのアンテナを備え、
前記フロントカバーがアンテナ適応部分および回路適応部分を備え、
前記アンテナの一方の端部が射出成形プロセスによって前記アンテナ適応部分の中に埋め込まれ、かつ前記アンテナの他方の端部が前記回路適応部分まで延在して前記回路適応部分で露出し、かつ前記アンテナの前記他方の端部が前記回路基板上のアンテナコンタクトに押し付けられ、したがって前記アンテナコンタクトに電気接続され、
前記ハウジングが、前記回路基板および前記回路適応部分を覆い、
前記ハウジングが、第１のハウジングキャップおよび第２のハウジングキャップを備え、
前記フロントカバーの互いに反対側の２つの面に関して、一方の面が、前記回路基板および前記第１のハウジングキャップの反対側であり、かつ他方の面が前記第２のハウジングキャップの反対側であり、
前記フロントカバーが、ねじ接続構造によって前記回路基板および前記第１のハウジングキャップに取外し可能に接続され、
前記フロントカバーが、ファスナー構造によって前記第２のハウジングキャップに取外し可能に接続されており、
前記アンテナ適応部分が、ベース部分およびキャップ部分を備え、
固定スロットが前記ベース部分に配置され、かつ前記アンテナの一部が前記固定スロットの中に埋め込まれ、
前記キャップ部分が、前記ベース部分に射出成形されるとともに、前記固定スロットの中に埋め込まれた前記アンテナを覆い、
前記アンテナが、互いに接続される受信部分および接続部分を備え、
前記回路基板が前記回路適応部分に置かれ、かつ前記回路基板が前記回路適応部分と前記第１のハウジングキャップとの間に配置され、
前記受信部分が前記固定スロットの中に埋め込まれ、前記接続部分が前記回路適応部分まで延在して前記回路適応部分で露出し、かつ前記接続部分が前記回路基板上の前記アンテナコンタクトに押し付けられ、したがって前記アンテナコンタクトに電気接続されており、
前記電子通信装置が、前記回路基板に電気接続されたプラグをさらに備え、
前記回路適応部分のエッジが第１のノッチをさらに備え、かつ前記第１のハウジングキャップおよび前記第２のハウジングキャップのエッジが、前記第１のノッチとは反対側の第２のノッチをさらに備え、
前記第１のノッチの側壁と前記プラグとの間に可動接続構造が配置され、かつ前記プラグは、前記可動接続構造によって前記第１のノッチの側壁に対して回転させて、前記第２のノッチから外側へ延在することができることを特徴とする電子通信装置。
【請求項２】
前記ベース部分および前記回路適応部分が、ワンピース構造を形成することを特徴とする請求項１に記載の電子通信装置。
【請求項３】
前記受信部分および前記接続部分がいずれもバー形シートの形態であり、前記受信部分の幅方向が、前記アンテナ適応部分の最大平面の延長方向に対して直角であり、かつ前記接続部分の幅方向が、前記回路適応部分の最大平面の延長方向に対して平行であることを特徴とする請求項１に記載の電子通信装置。
【請求項４】
前記第１のハウジングキャップと前記第２のハウジングキャップとの間に表示ランプがさらに配置され、かつ前記表示ランプが前記回路基板に電気接続されることを特徴とする請求項１に記載の電子通信装置。
【請求項５】
前記アンテナコンポーネントが、一方が主アンテナであり、他方がダイバーシティアンテナである２つのアンテナを備え、かつ前記主アンテナおよび前記ダイバーシティアンテナが、前記回路基板上の２つのアンテナコンタクトにそれぞれ押し付けられ、したがって前記２つのアンテナコンタクトにそれぞれ電気接続されることを特徴とする請求項１から４のいずれか一項に記載の電子通信装置。
【発明の詳細な説明】
【技術分野】
【０００１】
本発明は、機械技術の分野に関し、詳細には、アンテナコンポーネントおよび該アンテナコンポーネントを備えた電子通信装置に関する。
【０００２】
[関連出願の相互参照]
本出願は、２０１０年７月１２日に出願した「ＵＳＢコネクタ、ＵＳＢハウジング、およびワイヤレスモデム」（USB CONNECTOR, USB HOUSING AND WIRELESS MODEM）という名称の中国特許出願第２０１０１０２２７６０２．２号、および２０１０年８月１３日に出願した「アンテナコンポーネントおよび電気通信装置」（ANTENNA COMPONENT AND ELECTRONIC COMMUNICATION DEVICE）という名称の中国特許出願第２０１０２０２９１３５２．４号の利益を主張するものであり、これらの出願は、参照によりその全体が本明細書に組み込まれる。
【背景技術】
【０００３】
電子技術および通信技術の不断の開発により、データカードなどの電子装置は、ノートブックコンピュータを使用してインターネット上でしばしばサーフィンをしているユーザによって頻繁に使用されるツールのうちの１つになっており、アンテナコンポーネントは、データカードなどの既存の電子通信装置上の重要な必須コンポーネントである。
【０００４】
図１に示されるように、プラグ５を備えた電子装置が例示されている。この電子装置は、ハウジング３と、ハウジング３の内側に配置された回路基板４と、回路基板４の一方の端部に電気接続された（図では例示的にＵＳＢプラグを介して）プラグ５と、回路基板４の他方の端部に電気接続されたアンテナ２と、プラグ５を覆う保護キャップ５０と、を含む。既存のアンテナコンポーネントは、サポート１およびアンテナ２を含み、アンテナ２は金属材料でできており、サポート１はプラスチック片であり、アンテナ２の一方の端部はバイアホールを備えるとともに該バイアホールを貫通するねじまたはボルトによってサポート１に固定され、かつアンテナ２の他方の端部は、電子装置内の回路基板４上のアンテナコンタクトに押し付けられており、したがって該アンテナコンタクトに電気接続されている。
【０００５】
アンテナ２は、アンテナが受ける無線信号形式のデータ信号をアンテナコンタクトを介して回路基板４に入力することができる。また、回路基板４は、アンテナコンタクトを介してアンテナ２にデータ信号を送ることが可能であり、次にアンテナ２は、無線信号モードでデータ信号を発することができる。
【０００６】
調整された後のアンテナ２の位置を変更することは賢明ではなく、さもなければ無線信号形式のデータ信号の受信効果が影響されることになる。したがって既存の電子装置のハウジング３は、例えばアンテナコンポーネントおよび回路基板４などの装置を保護するために、回路基板４およびアンテナコンポーネントを完全に覆い、電子装置のプラグ５０に保護キャップ５０が挿入され、保護キャップ５０およびハウジング３は、相俟って電子装置のプラグ５およびハウジング３内の様々な装置を保護するべく機能する。
【０００７】
本発明者らは、本発明を実施している間に、従来技術には以下の問題が少なくとも存在していることを見出した。
【０００８】
図１に示された既存のアンテナコンポーネントの場合、アンテナ２は、ねじまたはボルトによってサポート１の上に固定されており、このねじまたはボルトの構造がアンテナコンポーネントの体積を大きくし、それによりアンテナコンポーネントを覆うためのハウジング３の体積、およびアンテナコンポーネントを備えた電子装置の体積を極めて大きくしている。
【発明の概要】
【発明が解決しようとする課題】
【０００９】
本発明の実施形態によれば、アンテナコンポーネントおよび該アンテナコンポーネントを備えた電子通信装置が提供され、それにより既存のアンテナコンポーネントの体積が大きいという技術的な問題が解決される。
【課題を解決するための手段】
【００１０】
上記の目的を達成するために、本発明の実施形態において以下の技術的解決法が使用されている。
【００１１】
透明なプラスチック材料でできたプレート形フロントカバーと、導体材料でできた少なくとも１つのアンテナと、を含んだアンテナコンポーネント。
【００１２】
フロントカバーはアンテナ適応部分および回路適応部分を含み、アンテナの一方の端部は、射出成形プロセスによってアンテナ適応部分の中に埋め込まれ、かつアンテナの他方の端部は回路適応部分まで延在して回路適応部分で露出している。
【００１３】
ハウジング、回路基板およびアンテナコンポーネントを含んだ電子通信装置であって、アンテナコンポーネントが、透明なプラスチック材料でできたプレート形フロントカバーと、導体材料でできた少なくとも１つのアンテナと、を含む電子通信装置。
【００１４】
フロントカバーはアンテナ適応部分および回路適応部分を含み、アンテナの一方の端部は、射出成形プロセスによってアンテナ適応部分の中に埋め込まれ、かつアンテナの他方の端部は回路適応部分まで延在して回路適応部分で露出し、かつアンテナの他方の端部は回路基板上のアンテナコンタクトに押し付けられ、したがってアンテナコンタクトに電気接続され、ハウジングは、回路基板および回路適応部分を覆っている。
【００１５】
従来技術と比較すると、本発明によって提供される上記技術的解決法のうちのいずれの解決法も以下の利点を有している。
【００１６】
本発明の実施形態にかかるアンテナコンポーネントにおいて、フロントカバーはアンテナ適応部分および回路適応部分を含み、アンテナの一方の端部は、射出成形プロセスによってアンテナ適応部分の中に埋め込まれ、かつアンテナの他方の端部は回路適応部分まで延在して回路適応部分で露出している。アンテナは、射出成形プロセスによってアンテナ適応部分の中に埋め込まれ、かつアンテナとフロントカバーとの間に、ねじまたはボルト、あるいはねじまたはボルトのような接続構造は配置されていない。既存のアンテナコンポーネントと比較すると、ねじまたはボルト、あるいはねじまたはボルトのような接続機構によって占有される空間が省略されるため、フロントカバーおよびアンテナの総体積をより小さくすることができる。それと同時に、フロントカバーがプレート形であり、また、ねじまたはボルト、あるいはねじまたはボルトのような接続機構が配置されていないため、アンテナコンポーネントをより薄く、かつ、より軽くすることができ、それにより既存のアンテナコンポーネントの体積が大きいという技術的な問題が解決される。
【００１７】
本発明の実施形態にかかるアンテナコンポーネントが電子通信装置に配置されると、電子通信装置の体積も、より小さく、かつ、より薄くすることができ、ユーザによる電子通信装置の持ち運びおよび使用が、より容易になる。
【００１８】
さらに、本発明の実施形態においてフロントカバーは透明なプラスチック材料でできているため、電子通信装置のハウジング内の表示ランプまたは他の発光装置が発光すると、その光はフロントカバーを透過することができ、したがってフロントカバー全体にわたってフレア効果を生成することができ、フロントカバーの概観を、より美しくすることができる。
【００１９】
ここで示されている図面は、本発明の範囲を限定するためではなく、本発明についてのさらなる理解を提供し、本出願の一部を成すために使用されている。
【００２０】
本発明の実施形態または従来技術の技術的解決法をより明確に説明するために、以下、これらの実施形態または従来技術の説明に必要な図面について簡単に説明する。以下の説明において、これらの図面は、明らかに本発明のいくつかの実施形態にすぎず、当業者は、これらの図面に基づいて、創造的な労働（creative labor）を必要とすることなく他の図面を得ることも可能である。
【図面の簡単な説明】
【００２１】
【図１】既存のアンテナコンポーネントを備えた電子装置の組立てプロセスを示す概略図である。
【図２】本発明の一実施形態にかかるアンテナコンポーネントの組立てプロセスを示す概略図である。
【図３】図２に示された本発明の実施形態にかかるアンテナコンポーネントを備えた電子通信装置の組立てプロセスを示す一概略図である。
【図４】図２に示された本発明の実施形態にかかるアンテナコンポーネントを備えた電子通信装置の組立てプロセスを示す他の概略図である。
【図５】図２に示された本発明の実施形態にかかるアンテナコンポーネントを備えた電子通信装置の３Ｄ構造を示す図である。
【図６】データカードが挿入された状態の、図５に示された本発明の実施形態にかかる電子通信装置の拡大概略断面図である。
【図７】本発明の他の実施形態にかかるアンテナコンポーネントの組立てプロセスを示す概略図である。
【図８】本発明の一実施形態にかかるアンテナコンポーネントの３Ｄ構造を示す図である。
【発明を実施するための形態】
【００２２】
以下、本発明の実施形態における技術的解決法について、本発明の実施形態の図面に関連して明確に、かつ、完全に説明する。説明されている実施形態は、すべての実施形態ではなく、明らかに本発明の実施形態の一部にすぎない。本発明のこれらの実施形態に基づいて、創造的労働を必要とすることなく当業者が得ることができるすべての他の実施形態は、本発明の保護範囲に属している。
【００２３】
本発明の一実施形態により、体積がより小さく、コストがより安価で、かつ、概観がはるかに優雅なアンテナコンポーネント、および該アンテナコンポーネントを備えた電子通信装置が提供される。
【００２４】
図２に示されているように、本発明の実施形態にかかるアンテナコンポーネントは、透明なプラスチック材料でできたプレート形フロントカバー１、および導体材料でできた少なくとも１つのアンテナ２を含み、フロントカバー１はアンテナ適応部分（antenna accommodation part）１１および回路適応部分（circuit accommodation part）１２を含み、アンテナ２の一方の端部は、射出成形プロセスによってアンテナ適応部分１１の中に埋め込まれ、アンテナ２の他方の端部は回路適応部分１２まで延在して回路適応部分１２で露出している。
【００２５】
本発明の実施形態にかかるアンテナコンポーネントにおいて、フロントカバー１はアンテナ適応部分１１および回路適応部分１２を含み、アンテナ２の一方の端部は、射出成形プロセスによってアンテナ適応部分１１の中に埋め込まれ、アンテナ２の他方の端部は回路適応部分１２まで延在して回路適応部分１２で露出している。アンテナ２は、射出成形プロセスによってアンテナ適応部分１１の中に埋め込まれており、したがってアンテナ２とフロントカバー１との間に、ねじまたはボルト、あるいはねじまたはボルトのような接続構造は配置されていない。既存のアンテナコンポーネントと比較すると、ねじまたはボルト、あるいはねじまたはボルトのような接続機構によって占有される空間が省略されるため、フロントカバー１およびアンテナ２の総体積をより小さくすることができる。それと同時に、フロントカバー１がプレート形であり、しかもねじまたはボルト、あるいはねじまたはボルトのような接続機構が構成されていないため、アンテナコンポーネントをより薄く、かつ、より軽くすることができ、それにより既存のアンテナコンポーネントの体積が大きいという技術的な問題が解決される。
【００２６】
さらに、射出成形プロセスによってフロントカバー１の中にアンテナ２を射出成形することにより、製造効率を高くすることができるだけでなく、アンテナ２とフロントカバー１との間の接続構造を堅固にすることができる。しかしながら、この実施形態において、アンテナ２の端部をフロントカバー１の中に埋め込むための多くの他のモードが存在している。例えば図７に示されるように、フロントカバー１を２つの部分に分割することができる。フロントカバー１の２つの部分の間にアンテナ２の一部が配置され、次にフロントカバー１の２つの部分を接着剤で一体に結合することによってアンテナ２の一方の端部がフロントカバー１の中に埋め込まれる。あるいはファスナーフィッティング接続（fastener fitting connection）などを使用することによってアンテナ２の一方の端部をフロントカバー１の中に埋め込むことも可能である。他方の端部はフロントカバー１から延在している。
【００２７】
透明な材料は完全に透明な材料と半透明の材料とを含むため、この実施形態において、アンテナ適応部分１１および回路適応部分１２の両方を完全に透明な材料部分または半透明の材料部分にすることができ、また、アンテナ適応部分１１および回路適応部分１２のうちのいずれか一方を完全に透明な材料部分または半透明の材料部分にし、他方を半透明の材料部分または完全に透明な材料部分にすることも可能である。
【００２８】
透明な材料を使用してフロントカバー１を製造することにより、アンテナコンポーネントの概観を当世風に、かつ、優雅にすることができるだけでなく、フロントカバー１内のアンテナ２およびフロントカバー１によって保護されている装置を外部から見ることができ、したがってアンテナ２の位置およびフロントカバー１によって保護されている他の装置の位置が適切であるかどうかを正確に判断するためには有利であり、それによりアンテナ２の位置またはフロントカバー１によって保護されている他の装置の位置を手軽に識別し、かつ調整することができる。
【００２９】
図２および図３に示されているように、本発明の実施形態にかかる電子通信装置は、図３に示されているようなハウジング３、回路基板４およびアンテナコンポーネントを含む。アンテナコンポーネントは、透明なプラスチック材料でできたプレート形フロントカバー１、および導体材料でできた少なくとも１つのアンテナ２を含み、フロントカバー１はアンテナ適応部分１１および回路適応部分１２を含み、アンテナ２の一方の端部は、射出成形プロセスによってアンテナ適応部分１１の中に埋め込まれており、アンテナ２の他方の端部は回路適応部分１２まで延在して回路適応部分１２で露出しており、また、アンテナ２の他方の端部は回路基板４上のアンテナコンタクト６に押し付けられており、したがってアンテナコンタクト６に電気接続されている。ハウジング３は、回路基板４および回路適応部分１２を覆っている。
【００３０】
本発明の実施形態にかかるアンテナコンポーネントにおいて、フロントカバー１はアンテナ適応部分１１および回路適応部分１２を含む。アンテナ２の一方の端部は、射出成形プロセスによってアンテナ適応部分１１の中に埋め込まれており、アンテナ２の他方の端部は回路適応部分１２まで延在して回路適応部分１２で露出している。アンテナ２は、射出成形プロセスによってアンテナ適応部分１１の中に埋め込まれており、したがってアンテナ２とフロントカバー１との間に、ねじまたはボルト、あるいはねじまたはボルトのような接続構造は配置されていない。既存のアンテナコンポーネントと比較すると、ねじまたはボルト、あるいはねじまたはボルトのような接続機構によって占有される空間が省略されるため、フロントカバー１およびアンテナ２の総体積をより小さくすることができる。それと同時に、フロントカバー１がプレート形であり、また、ねじまたはボルト、あるいはねじまたはボルトのような接続機構が配置されていないため、アンテナコンポーネントをより薄く、かつ、より軽くすることができ、それにより既存のアンテナコンポーネントの体積が大きいという技術的な問題が解決される。
【００３１】
本発明の実施形態にかかるアンテナコンポーネントが電子通信装置に配置されると、電子通信装置の体積も、より小さく、かつ、より薄くすることができ、また、ユーザによる電子通信装置の持ち運びおよび使用が、より容易になる。
【００３２】
それと同時に、本発明の実施形態において、フロントカバー１は透明なプラスチック材料でできているため、電子通信装置のハウジング内の表示ランプまたは他の発光装置が発光すると、その光はフロントカバー１を透過することができ、したがってフロントカバー１全体にわたってフレア効果を生成することができ、また、フロントカバー１の概観を、より美しくすることができる。
【００３３】
さらに、射出成形プロセスによってフロントカバー１の中にアンテナ２を射出成形することにより、製造効率を高くすることができるだけでなく、アンテナ２とフロントカバー１との間の接続構造を堅固にすることができる。しかしながら、この実施形態において、アンテナ２の端部をフロントカバー１の中に埋め込むための多くの他のモードが存在している。例えば図７に示されるように、フロントカバー１を２つの部分に分割することができる。フロントカバー１の２つの部分の間にアンテナ２の一部が配置され、次にフロントカバー１のこれらの２つの部分を接着剤で一体に結合することによってアンテナ２の一方の端部がフロントカバー１の中に埋め込まれる。あるいはファスナーフィッティング接続などを使用することによってアンテナ２の一方の端部がフロントカバー１の中に埋め込まれる。他方の端部はフロントカバー１から延在している。
【００３４】
透明な材料は完全に透明な材料と半透明の材料とを含むため、この実施形態において、アンテナ適応部分１１および回路適応部分１２の両方を完全に透明な材料部分または半透明の材料部分にすることができ、また、アンテナ適応部分１１および回路適応部分１２のうちのいずれか一方を完全に透明な材料部分または半透明の材料部分にし、他方を半透明の材料部分または完全に透明な材料部分にすることも可能である。
【００３５】
透明な材料を使用してフロントカバー１を製造することにより、アンテナコンポーネントの概観を当世風に、かつ、優雅にすることができるだけでなく、フロントカバー１内のアンテナ２およびフロントカバー１によって保護されている装置を外部から見ることができ、したがってアンテナ２の位置およびフロントカバー１によって保護されている他の装置の位置が適切であるかどうかを正確に判断するためには有利であり、それによりアンテナ２の位置またはフロントカバー１によって保護されている他の装置の位置を手軽に識別し、調整することができる。
【００３６】
図３および図４に示されるように、ハウジング３は、第１のハウジングキャップ３１および第２のハウジングキャップ３２を含む。
【００３７】
フロントカバー１の互いに反対側の２つの面に関して、一方の面は、回路基板４および第１のハウジングキャップ３１の反対側であり、また、他方の面は、第２のハウジングキャップ３２の反対側である。
【００３８】
フロントカバー１は、図３に示されているようにねじ接続構造７によって回路基板４および第１のハウジングキャップ３１に取外し可能に接続されている。
【００３９】
フロントカバー１は、図３に示されているようにファスナー構造８によって第２のハウジングキャップ３２に取外し可能に接続されている。
【００４０】
ねじ接続構造７およびファスナー構造８は、いずれも、構造が単純であり、かつ、取付けが容易である利点を有している。
【００４１】
この実施形態において、図３に示されているねじ接続構造７は、図４に示されている、第１のハウジングキャップ３１に固定配置された第１の位置支柱（location column）７１と、図２に示されている、フロントカバー１に固定配置された第２の位置支柱７２と、図４に示されている、回路基板４中に配置された第１の位置孔７３と、を含む。対をなしている穴は、第１の位置支柱７１に配置されており、また、図２に示されている第２の位置孔７４は、第２の位置支柱７２に配置されている。図４に示されているように、ねじのねじ山部分は、第２の位置孔７４を貫通し、かつ引き続いて第１の位置孔７３を貫通した後、対をなしている第１の位置支柱の穴の中に埋め込まれ、したがってフロントカバー１は、回路基板４および第１のハウジングキャップ３１と共に一体に固定される。このような構造において、ねじのねじ山部分は、第１のハウジングキャップ３１に固定接続される第１の位置支柱上の対をなしている穴の中に最終的に埋め込まれる。ねじのねじ山部分から遠く離れたエンドヘッド（end head）は、第２のハウジングキャップ３２によって保護することができ、したがって電子通信装置全体の概観を優雅にすることができる。
【００４２】
図４に示されているように、この実施形態において、回路基板４は、表面実装技術（ＳＭＴ）プロセスを介したねじナットを備えている。第１の位置孔７３は、ねじナットのねじ孔であってもよい。ねじ孔とねじのねじ山部分との間の嵌合はより堅固であり、したがって図３に示されているねじ接続構造７の信頼性を改善するのに有用である。
【００４３】
図３に示されているように、この実施形態において、ファスナー構造８は、第２のハウジングキャップ３２の互いに反対側のエッジに固定配置され、かつ第２のハウジングキャップ３２の中央領域まで延在している、分離防止バルジ８１および分離防止バックル８２と、フロントカバー１の互いに反対側のエッジに固定配置された、第１のストッパ８３および第２のストッパ８４と、フロントカバー１の互いに反対側のエッジに配置されたストッパ溝８５と、を含む。ストッパ溝８５の長さ方向（最大延在方向）は、フロントカバー１の長さ方向に対して平行である。
【００４４】
第１のストッパ８３および第２のストッパ８４は、引き続いてフロントカバー１の長さ方向に沿って配置されている。第２のハウジングキャップ３２がフロントカバー１の上に挿入されると、第１のストッパ８３と第２のストッパ８４との間に分離防止バルジ８１が埋め込まれ、ストッパ溝８５の中に分離防止バックル８２が埋め込まれる。
【００４５】
第１のストッパ８３と第２のストッパ８４との間に分離防止バルジ８１が埋め込まれると、第１のストッパ８３、第２のストッパ８４および分離防止バルジ８１で形成される嵌合構造によって、フロントカバー１の最大延在平面に対して平行の方向に沿った、第２のハウジングキャップ３２の運動が制限される。分離防止バックル８２とストッパ溝８５との間の嵌合構造によって、フロントカバー１の最大延在平面に対して直角の方向に沿った第２のハウジングキャップ３２の運動が制限される。
【００４６】
図３に示されているように、この実施形態において、分離防止バルジ８１は凸状閉角度（convex closed angle）の形態であり、また、分離防止バックル８２は薄片の形態である。分離防止バルジ８１および分離防止バックル８２は、いずれも、金属シートを曲げることによって形成されており、はんだ付けによって金属材料の第２のハウジングキャップ３２の上に固定されている。第２のハウジングキャップ３２は、アルミニウム合金材料のキャップであることが好ましい。はんだ付けによって第２のハウジングキャップ３２の上に固定された分離防止バルジ８１および分離防止バックル８２と第２のハウジングキャップ３２との間の接続強度は、より信頼性が高い。しかしながら、この実施形態において、分離防止バルジ８１、分離防止バックル８２および第２のハウジングキャップ３２は、ワンピース構造を形成することも可能であり、あるいは例えばリベット締めおよび結合などの他の固定モードで固定接続することができる。
【００４７】
図８に示されているように、図３に示されている実施形態にかかるファスナー構造８の他の変更態様として、この実施形態において、第１のストッパ８３の周囲のフロントカバー１の上に、フロントカバーの長さ方向に沿って延在している弾性溝（resilience groove）８６がさらに配置されている。この弾性溝８６は、第１のストッパ８３の周囲のフロントカバー１の材料を少なくしており、したがって電子通信装置の幅方向における第１のストッパ８３の伸張空間を広くすることができる。その結果、第１のストッパ８３の弾性（resilience）を改善することができ、したがってこの弾性溝８６は、ファスナー構造８嵌合の信頼性を改善するのに有用である。
【００４８】
図２に示されているように、この実施形態において、アンテナ適応部分１１はベース部分１１１およびキャップ部分１１２を含む。
【００４９】
固定スロット１４はベース部分１１１に配置されており、また、アンテナ２の一部は固定スロット１４中に埋め込まれている。
【００５０】
キャップ部分１１２はベース部分１１１に射出成形されており、かつ固定スロット１４中に埋め込まれたアンテナ２を覆っている。
【００５１】
固定スロット１４はベース部分１１１に配置されているため、アンテナ２を固定スロット１４に挿入することによってアンテナ２を必要な位置に、速やかに、かつ、正確に取り付けることができ、また、射出成形されたキャップ部分１１２を介してベース部分１１１にアンテナ２を堅固に固定することができる。しかしながら、この実施形態において、キャップ部分１１２に固定スロット１４を配置することも可能である。
【００５２】
図２に示されているように、この実施形態において、アンテナ適応部分１１および第１のハウジングキャップ３１に隣接する回路適応部分１２の面にスペーサバー（spacer bar）１６がさらに固定配置されている。スペーサバー１６は、アンテナ適応部分１１に取り付けられる装置と、回路適応部分１２に取り付けられる装置との間の相互影響を回避することができるように、アンテナ適応部分１１を回路適応部分１２から分離することができる。
【００５３】
この実施形態の他の変更態様として、図２に示されている実施形態のベース部分１１１および回路適応部分１２は、ワンピース構造を形成している。ワンピース構造のベース部分１１１および回路適応部分１２は、ワンステップの成形プロセスによって製造することができ、したがって製造効率を高くすることができ、また、ワンピース構造の各部分間の接続強度を強くすることができる。この実施形態において、ベース部分１１１は、好ましくは、回路適応部分１２、第２の位置支柱７２、第１のストッパ８３、第２のストッパ８４およびスペーサバー１６と共にワンピース構造を形成している。この点に関して、ベース部分１１１を含むフロントカバー１、回路適応部分１２、第２の位置支柱７２、第１のストッパ８３、第２のストッパ８４およびスペーサバー１６は、ワンステップの成形プロセスによって同時に製造することができる。
【００５４】
図２に示されているように、アンテナ２は、互いに接続された受信部分２１および接続部分２２を含み、図３に示されているように回路基板４は回路適応部分１２に置かれており、また、回路基板４は、回路適応部分１２と第１のハウジングキャップ３１との間に配置されている。図２に示されているように、受信部分２１は固定スロット１４中に埋め込まれており、また、接続部分２２は回路適応部分１２まで延在して回路適応部分１２で露出している。接続部分２２は、図４に示されているように回路基板４上のアンテナコンタクト６に押し付けられており、したがってアンテナコンタクト６に電気接続されている。
【００５５】
一方では、このような構造において、電子通信装置およびフロントカバー１の長さ方向の空間を完全に利用することができ、したがって電子通信装置の厚さ方向のサイズを薄くすることができる。他方では、電子通信装置およびフロントカバー１の長さ方向の空間が十分にあるため、同時に、アンテナ２の受信部分２１は、無線信号を受信または発するように構成される。このような構造において、回路基板４上の様々な装置とアンテナ２の受信部分２１との間の相互影響を回避することができるように、受信部分２１と回路基板４との間の距離は、長くなるように構成される。
【００５６】
図２に示されているように、受信部分２１および接続部分２２は、いずれもバー形シートの形態をしている。受信部分２１の幅方向は、アンテナ適応部分１１の最大平面の延長方向に対して直角であり、接続部分２２の幅方向は、回路適応部分１２の最大平面の延長方向に対して平行である。
【００５７】
いずれもバー形シートの形態の受信部分２１および接続部分２２は、金属シートを曲げることによって構築することができる。受信部分２１の幅方向がアンテナ適応部分１１の最大平面の延長方向に対して直角である場合、受信部分２１は、電子通信装置の厚さ方向に広い面積を占めることになり、これはアンテナ２の無線信号受信性能を改善するのに有利である。接続部分２２の幅方向が回路適応部分１２の最大平面の延長方向に対して平行である場合、接続部分２２は、図４に示されているように回路基板４上のアンテナコンタクト６の反対側に位置することになる。接続部分２２およびアンテナコンタクト６がコンタクトに押し付けられると、それは、取付けのために好都合であり、また、接触面積が比較的広くなるだけでなく、アンテナコンタクト６と接続部分２２との間の電気接続の信頼性を確実にするために有用である。
【００５８】
図２に示されているように、この実施形態の他の変更態様として、位置スロット１３をこの実施形態の回路適応部分１２にさらに配置することができ、この位置スロット１３中に接続部分２２が埋め込まれる。
【００５９】
位置スロット１３は、回路適応部分１２の表面に対して平行方向に接続部分２２を限定することができる。したがってジッターまたは振動などの理由によって生じる、回路適応部分１２の表面に対して平行の方向における接続部分２２の変位を回避することができ、したがって接続部分２２とアンテナコンタクト６との間の電気接続の信頼性をさらに確実にすることができる。
【００６０】
図３に示されているように、第１のハウジングキャップ３１と第２のハウジングキャップ３２との間に表示ランプがさらに配置されている。この表示ランプは回路基板４に電気接続されている。表示ランプは、明滅させることによって電子通信装置の様々な状態を表示することができ、例えば電子通信装置が電源に接続されているかどうか、電子通信装置が動作状態にあるかどうか、および電子通信装置がデータを送信しているかどうかなどを表示することができる。この実施形態において、フロントカバー１は透明な材料でできているため、表示ランプが明滅している間に出射された光はフロントカバー１を透過することができ、ユーザは、フロントカバー１を透過する光を観察することによって電子通信装置の様々な状態を判断することができる。
【００６１】
それと同時に、フロントカバー１は、ユーザの要求に応じて様々な形態に構成することができるため、製品の概観設計をより豊富に、かつ、より優雅にすることができる。
【００６２】
さらに、ここでは、フロントカバー１上の、第１のハウジングキャップ３１および第２のハウジングキャップ３２によって覆われていない部分は、従来技術のランプかさとして機能させることができ、つまり表示ランプを保護するようにその部分を機能させることができる。この実施形態において、製品の概観設計をより豊富に、かつ、優雅にするために、モデル番号、製造者およびデバイスメモリ容量などの様々な形またはラベルを、フロントカバー１の、第１のハウジングキャップ３１および第２のハウジングキャップ３２によって覆われていない部分に彫刻することができる。
【００６３】
図４に示されているように、この実施形態において、電子通信装置は、さらに、回路基板４に電気接続されたプラグ５を含み、図２に示されているように、回路適応部分１２のエッジに第１のノッチ９がさらに配置され、第１のハウジングキャップ３１および第２のハウジングキャップ３２のエッジに、第１のノッチ９とは反対側の第２のノッチ１０がさらに配置され、第１のノッチ９の側壁とプラグ５との間に可動接続構造５９が配置されている。プラグ５は、可動接続構造５９によって第１のノッチ９の側壁に対して回転させて、第２のノッチ１０から外側へ延在することができる。
【００６４】
プラグ５は、第１のノッチ９の側壁に対して、図４に示されているように可動接続構造５９によって回転させることができ、かつプラグ５は、プラグ５が第２のノッチ１０から外側へ延在している場合、第１のハウジングキャップ３１および第２のハウジングキャップ３２のエッジから外側へ延在させることができるため、プラグ５が使用される場合、プラグ５を回転させて、第１のハウジングキャップ３１および第２のハウジングキャップ３２から外側へ延在させることができる。プラグ５が使用された後、プラグ５を回転させて第１のハウジングキャップ３１および第２のハウジングキャップ３２の中へ引き戻すことができ、これは、使用のために好都合であるだけでなく、プラグ５の保護キャップが不要である。
【００６５】
図４に示されているように、この実施形態において、能動接続構造５９は、第１のノッチ９の側壁に配置された回転孔９１と、プラグ５上に固定配置された回転軸５１と、第２のハウジングキャップ３２に隣接する回路適応部分１２の側面に配置された埋込みスロット１５と、を含む。プラグ５は、回転軸５１を介して回転孔９１にピン接続される。プラグ５は、回転軸５１によって、回転孔９１に対して回転させることができ、かつ回転させて埋込みスロット１５中に埋め込むことができる。
【００６６】
使用される場合、プラグ５は、プラグ５を第１のハウジングキャップ３１および第２のハウジングキャップ３２から外側へ延在している位置に位置させることができるように、埋込みスロット１５から外側へ回転させることができる。使用された後には、プラグ５をもう一度回転させて埋込みスロット１５中に埋め込むことができる。
【００６７】
図８に示されているように、この実施形態において、第２のハウジングキャップ３２に隣接する回路適応部分１２の一方の側にカードスロット１７がさらに配置されている。スロットバイアホール（slot via hole）１８はカードスロット１７の側壁に配置されている。スロットバイアホール１８は、図４および図６に示されているようにデータカードソケット４１の反対側である。データカードソケット４１は回路基板４に電気接続されている。
【００６８】
データカード２０は、図８に示されているスロットバイアホール１８を介して、図６に示されているデータカードソケット４１に埋め込むことができる。この実施形態において、データカードソケット４１は、ＳＩＭカードソケットまたはＵＩＭカードソケットである。データカードソケット４１を使用して、ＳＩＭカードまたはＵＩＭカードのデータ情報が読み出され、かつ、そのデータ情報が回路基板４に入力される。
【００６９】
この実施形態において、第２のハウジングキャップ３２は、アルミニウム合金材料でできていることが好ましい。回路適応部分１２には、図８に示されている接地バイアホール１９がさらに配置されている。回路基板４は、接地バイアホール１９を介して第２のハウジングキャップ３２に電気接続されており、かつこの第２のハウジングキャップ３２を介して接地されている。しかしながら、この実施形態において、第１のハウジングキャップ３１も導体材料で構築することができ、かつこの第１のハウジングキャップ３１を介して回路基板４を接地することも可能である。
【００７０】
アンテナコンポーネントは２つのアンテナ２を含む。２つのアンテナ２のうちの１つは主アンテナであり、もう１つはダイバーシティアンテナである。主アンテナおよびダイバーシティアンテナは、図４に示されているように回路基板４上の２つのアンテナコンタクト６にそれぞれ押し付けられており、したがってこれらのアンテナコンタクト６にそれぞれ電気接続されている。主アンテナは、無線信号を受信または送信するために使用され、ダイバーシティアンテナは、無線信号を受信するためにのみ使用される。ダイバーシティアンテナは、主アンテナと協調して無線信号を受信し、無線信号の受信を補助するように機能し、したがってこのダイバーシティアンテナは、無線信号受信効果を改善するのに有用である。
【００７１】
この実施形態では、電子通信装置はデータカードであることが好ましく、また、プラグ５はＵＳＢプラグとすることができる。データカードは、軽くて、薄く、かつ、小さいことが必要であり、本発明の実施形態にかかる上記技術的解決法を適合することによってその体積を小さくすることができる。しかしながら、電子通信装置も、データカードに加えて、他の電子装置とすることができる。
【００７２】
以上、本発明の目的、技術的解決法および有利な効果について、上記特定の実施形態によってより詳細に例示した。しかしながら、上記実施形態は、本発明の保護範囲を限定するのではなく、本発明のいくつかの特定の実施形態にすぎないことを理解されたい。本発明の精神および原理を逸脱しないすべての変更形態、等価な置換形態および改良形態は、本発明の保護範囲に属するものとして解釈すべきである。
【符号の説明】
【００７３】
１  サポート（プレート形フロントカバー）
２  アンテナ
３  ハウジング
４  回路基板
５  プラグ
６  アンテナコンタクト
７  ねじ接続構造
８  ファスナー構造
９  第１のノッチ
１０  第２のノッチ
１１  アンテナ適応部分
１２  回路適応部分
１３  位置スロット
１４  固定スロット
１５  埋込みスロット
１６  スペーサバー
１７  カードスロット
１８  スロットバイアホール
１９  接地バイアホール
２１  受信部分
２２  接続部分
３１  第１のハウジングキャップ
３２  第２のハウジングキャップ
４１  データカードソケット
５０  保護キャップ
５１  回転軸
５９  可動接続構造（能動接続構造）
７１  第１の位置支柱
７２  第２の位置支柱
７３  第１の位置孔
７４  第２の位置孔
８１  分離防止バルジ
８２  分離防止バックル
８３  第１のストッパ
８４  第２のストッパ
８５  ストッパ溝
８６  弾性溝
９１  回転孔
１１１  ベース部分
１１２  キャップ部分
【図１】
0005578385.tif 000002
【図２】
0005578385.tif 000003
【図３】
0005578385.tif 000004
【図４】
0005578385.tif 000005
【図５】
0005578385.tif 000006
【図６】
0005578385.tif 000007
【図７】
0005578385.tif 000008
【図８】
0005578385.tif 000009